(57)【要約】      （修正有）【課題】自然換気を効率良く行うことが可能な建物の提供。【解決手段】特定階１ａの床２０の一部の上方に中間床３０が設けられ、この中間床３０の下方が、天井高が０．９ｍ〜１．４ｍの収納空間３となっているものであり、中間床３０の上方が、特定階１ａの部屋２に隣接するバルコニー４となっており、このバルコニー４に面する部屋２の一方の外壁２１には出入口２１ａが形成されており、この一方の外壁２１と対向する部屋２の他方の外壁２２には窓等の開口部２２ａが形成されていることを特徴とする建物１。これにより、開口部から取り込んだ空気が天井付近を通過し、天井付近に溜まった暖かい空気を、出入口を通じて屋外へと効率良く排気できる。【選択図】図３
2010116671.tif 000002
【特許請求の範囲】
【請求項１】
特定階の床の一部の上方に中間床が設けられ、この中間床の下方が、天井高が０．９ｍ〜１．４ｍの収納空間となっている建物において、
前記中間床の上方が、前記特定階の部屋に隣接するバルコニーとなっており、
このバルコニーに面する前記部屋の一方の外壁には出入口が形成されており、この一方の外壁と対向する前記部屋の他方の外壁には窓等の開口部が形成されていることを特徴とする建物。
【請求項２】
請求項１に記載の建物において、
前記部屋には、前記バルコニーとの間を行き来するための昇降手段が設けられており、
この昇降手段は、前記中間床と略等しい高さに位置するとともに該中間床と連続し、さらに前記出入口に面して設けられる階上床部と、この階上床部と前記部屋の床との間に設けられる階段とを備えており、
前記階上床部の部屋側の縁部には、前記出入口と対向する所定高さの手摺壁が立設されており、この手摺壁の上端部は、前記出入口の上端部よりも低い高さに位置していることを特徴とする建物。
【請求項３】
請求項１または２に記載の建物において、
前記バルコニーは、躯体の壁が立設された部分を除く該バルコニーの周縁部に所定高さの手摺壁が立設されるとともに、上部に屋根がない状態となっていることを特徴とする建物。
【請求項４】
請求項１〜３のいずれか一項に記載の建物において、
前記開口部の上端部は、前記部屋の天井付近の高さに位置していることを特徴とする建物。
【請求項５】
請求項１〜４のいずれか一項に記載の建物において、
前記一方の外壁と他方の外壁との間にキッチンが配置されていることを特徴とする建物。
【発明の詳細な説明】
【技術分野】
【０００１】
本発明は、特定階の床の一部の上方に中間床が設けられ、この中間床の下方が、天井高が０．９ｍ〜１．４ｍの収納空間となっている建物に関する。
【背景技術】
【０００２】
近年、空調機器の発達に伴い、空調機器を利用して冷暖房を行うようになっている。そのため、住宅等の建物においては、空調効果を高めるために、屋内外の空気の出入りを遮断し、室内の熱が屋外に漏れないようにし、建物の内部の空調におけるエネルギー損失を少なくするために、室内の気密性および断熱性を高くした高気密・高断熱建物が利用されている。
一方、このような高気密・高断熱建物は、屋内外の空気の出入りを遮断しているために換気を十分に行う必要があった。そこで、高気密・高断熱建物の換気を行うために、建物内の部屋等、仕切られた複数の空間をまとめて換気するセントラル換気装置が利用されている（例えば、特許文献１参照）。
【特許文献１】特開平１１−３４４２５３号公報
【発明の開示】
【発明が解決しようとする課題】
【０００３】
ところが、このような換気装置を用いると換気装置の設置にコストがかかる上、多くのエネルギーを消費するという問題があった。このため、特に、春や秋等の気候がよい季節においては、上記のような空調機器や換気装置を用いずに、各部屋の窓やドアを開放して建物内部に外気を導入し、建物内部の空気と入れ換える等して自然換気を行うようにしている。
しかしながら、暖かい空気は上昇する性質を備えていることから、各部屋の窓やドアを開けただけでは、暖かい空気は各部屋の天井付近に溜まってしまい、効率よく換気を行うことが困難であった。このため、住宅等の建物において自然換気を効率良く行うことが可能な技術の開発が望まれていた。
【０００４】
本発明の課題は、自然換気を効率良く行うことが可能な建物を提供することを目的とする。
【課題を解決するための手段】
【０００５】
請求項１に記載の発明は、例えば図１〜図３に示すように、特定階１ａの床２０の一部の上方に中間床３０が設けられ、この中間床３０の下方が、天井高が０．９ｍ〜１．４ｍの収納空間３となっている建物１において、
前記中間床３０の上方が、前記特定階１ａの部屋２に隣接するバルコニー４となっており、
このバルコニー４に面する前記部屋２の一方の外壁２１には出入口２１ａが形成されており、この一方の外壁２１と対向する前記部屋２の他方の外壁２２には窓等の開口部２２ａが形成されていることを特徴とする。
【０００６】
請求項１に記載の発明によれば、前記中間床３０の上方が、前記部屋２に隣接するバルコニー４となっているので、このバルコニー４へと通じる前記出入口２１ａは、前記特定階１ａの床２０よりも一段高い高さに位置していることとなる。
このような出入口２１ａが形成された一方の外壁２１と対向する前記部屋２の他方の外壁２２に窓等の開口部２２ａが形成されているので、この開口部２２ａから取り込んだ空気は、一段高い高さに位置する前記出入口２１ａに向かって進むことになり、その際に、前記部屋２の天井２３付近を通過するようにして屋外へと抜けることになる。
そして、暖かい空気は上昇する性質を備えていることから、前記部屋２内の暖かい空気は上昇し、前記部屋２の天井２３付近に溜まることになるので、前記開口部２２ａから取り込んだ空気が前記天井２３付近を通過することによって、前記天井２３付近に溜まった暖かい空気を、前記出入口２１ａを通じて屋外へと効率良く排気することができる。これによって、自然換気を効率良く行うことが可能となる。
【０００７】
請求項２に記載の発明は、例えば図１〜図３に示すように、請求項１に記載の建物１において、
前記部屋２には、前記バルコニー４との間を行き来するための昇降手段２４が設けられており、
この昇降手段２４は、前記中間床３０と略等しい高さに位置するとともに該中間床３０と連続し、さらに前記出入口２１ａに面して設けられる階上床部２４ａと、この階上床部２４ａと前記部屋２の床２０との間に設けられる階段２４ｂとを備えており、
前記階上床部２４ａの部屋２側の縁部には、前記出入口２１ａと対向する所定高さの手摺壁２５が立設されており、この手摺壁２５の上端部は、前記出入口２１ａの上端部よりも低い高さに位置していることを特徴とする。
【０００８】
請求項２に記載の発明によれば、前記階上床部２４ａの部屋２側の縁部には、前記出入口２１ａと対向する所定高さの手摺壁２５が立設されているので、この手摺壁２５によって前記部屋２と階上床部２４ａとを仕切ることができる。
また、この手摺壁２５の高さが、例えばこの手摺壁２５の上端部と前記部屋２の天井２３との間に隙間をあけることができる程度の高さに設定されている場合は、この手摺壁２５の上端部と前記部屋２の天井２３との間の隙間を通じて、空気を流通させることができる。
【０００９】
そして、前記手摺壁２５の上端部は、前記出入口２１ａの上端部よりも低い高さに位置しているので、前記手摺壁２５の上端部と前記部屋２の天井２３との間の隙間を通じて流通する空気は、前記出入口２１ａの上部を通じて、前記部屋２と屋外との間を流通することとなる。
すなわち、前記開口部２２ａから部屋２内に取り込んだ空気は、前記出入口２１ａの下部ではなく上部に向かって進むことになるので、この空気は、より確実に前記部屋２の天井２３付近を通過することになる。これによって、前記天井２３付近に溜まった暖かい空気を、前記出入口２１ａを通じて屋外へと、より効率良く排気することができる。
【００１０】
請求項３に記載の発明は、例えば図２および図３に示すように、請求項１または２に記載の建物１において、
前記バルコニー４は、躯体の壁が立設された部分を除く該バルコニー４の周縁部に所定高さの手摺壁４０が立設されるとともに、上部に屋根がない状態となっていることを特徴とする。
【００１１】
請求項３に記載の発明によれば、前記バルコニー４は、躯体の壁が立設された部分を除く該バルコニー４の周縁部に所定高さの手摺壁４０が立設されるとともに、上部に屋根がない状態となっているので、前記躯体表面に沿って流れる風は、前記バルコニー４の表面にも沿って流れることになる。また、このようにバルコニー４の表面に沿って流れる風は、建物自体から遠ざかる方向に流れていくので、前記出入口２１ａから屋外へと排気される空気を、建物自体から遠ざかる方向へと導くことができる。これによって、前記天井２３付近に溜まった暖かい空気を、前記出入口２１ａを通じて屋外へと、さらに効率良く排気することができる。
【００１２】
請求項４に記載の発明は、例えば図３に示すように、請求項１〜３のいずれか一項に記載の建物１において、
前記開口部２２ａの上端部は、前記部屋２の天井２３付近の高さに位置していることを特徴とする。
【００１３】
請求項４に記載の発明によれば、前記開口部２２ａの上端部は、前記部屋２の天井２３付近の高さに位置しているので、前記開口部２２ａから取り込んだ空気を、前記部屋２内の高い場所、すなわち前記天井２３付近を、さらに確実に通過させることができる。これによって、前記天井２３付近に溜まった暖かい空気を、前記出入口２１ａを通じて屋外へと、より一層効率良く排気することができる。
【００１４】
請求項５に記載の発明は、例えば図１〜図３に示すように、請求項１〜４のいずれか一項に記載の建物１において、
前記一方の外壁２１と他方の外壁２２との間にキッチン２ｃが配置されていることを特徴とする。
【００１５】
請求項５に記載の発明によれば、前記一方の外壁２１と他方の外壁２２との間にキッチン２ｃが配置されているので、火を使った料理の後にキッチン２ｃの上方の天井２３付近に溜まった暖かい空気を、前記出入口２１ａを通じて屋外へと効率良く排気することができる。
【発明の効果】
【００１６】
本発明によれば、特定階の床の一部の上方に設けられる中間床の上方が、特定階の部屋に隣接するバルコニーとなっているので、このバルコニーへと通じる出入口は、部屋の床よりも一段高い高さに位置していることとなる。
このような出入口が形成された一方の外壁と対向する部屋の他方の外壁に窓等の開口部が形成されているので、この開口部から取り込んだ空気は、一段高い高さに位置する出入口に向かって進むことになり、その際に、部屋の天井付近を通過するようにして屋外へと抜けることになる。
そして、暖かい空気は上昇する性質を備えていることから、部屋内の暖かい空気は上昇し、部屋の天井付近に溜まることになるので、開口部から取り込んだ空気が天井付近を通過することによって、天井付近に溜まった暖かい空気を、出入口を通じて屋外へと効率良く排気することができる。これによって、自然換気を効率良く行うことが可能となる。
【発明を実施するための最良の形態】
【００１７】
以下、図面を参照して本発明の実施の形態について説明する。
【００１８】
本実施の形態の建物１は、図１〜図３に示すように、特定階１ａの床２０の一部の上方に中間床３０が設けられ、この中間床３０の下方が、天井高が０．９ｍ〜１．４ｍの収納空間３となっているものであり、前記中間床３０の上方が、前記特定階１ａの部屋２に隣接するバルコニー４となっており、このバルコニー４に面する前記部屋２の一方の外壁２１には出入口２１ａが形成されており、この一方の外壁２１と対向する前記部屋２の他方の外壁２２には窓等の開口部２２ａが形成されている。
【００１９】
すなわち、前記中間床３０の上方が、前記部屋２に隣接するバルコニー４となっているので、このバルコニー４へと通じる前記出入口２１ａは、前記特定階１ａの床２０よりも一段高い高さに位置していることとなる。
このため、前記開口部２２ａから取り込んだ空気は、一段高い高さに位置する前記出入口２１ａに向かって進むことになり、その際に、前記部屋２の天井２３付近を通過するようにして屋外へと抜けることになる。
【００２０】
なお、本実施の形態の建物１は、都市部等の狭小敷地に建築されるものであり、敷地の有効利用のため、南北に長い造りとなっている。ただし、南北に長いと限るものではなく、東西に長くてもよいし、適宜変更可能である。
すなわち、前記一方の外壁２１と他方の外壁２２との間の距離が比較的長くなるように離間して配置されており、前記開口部２２ａから前記出入口２１ａへと抜ける空気が、前記一方の外壁２１と他方の外壁２２との間に配置される居住空間を確実に通過して、この居住空間の換気を促進している。
【００２１】
本実施の形態の一方の外壁２１は、前記中間床３０の上に立設されている。そして、この一方の外壁の２１の下方には、前記床２０から中間床３０までの高さに設定された壁２１ｃが立設されており、この壁２１ｃによって、前記中間床３の一端および前記一方の外壁２１を支持するとともに、前記部屋２と収納空間３とを仕切ることができる。
また、前記出入口２１ａには、図２に示すように、この出入口２１ａを開閉する戸２１ｂが設けられており、前記開口部２２ａには、図１に示すように、この開口部２２ａを開閉する窓サッシ２２ｂが設けられている。これによって、これら戸２１ｂや窓サッシ２２ｂを開いたり閉じたり、または開き度合いによって、前記部屋２内の換気状態を調節できるようになっている。
【００２２】
本実施の形態の他方の外壁２２は、図１〜図３に示すように、部屋２側に後退するように形成された凹部を含んでおり、この凹部に前記開口部２２ａが形成されている。
また、前記開口部２２ａの上端部は、図３に示すように、前記部屋２の天井２３付近の高さに位置している。これによって、前記開口部２２ａから取り込んだ空気を、前記部屋２内の高い場所、すなわち前記天井２３付近を確実に通過させることができる。
なお、本実施の形態の開口部２２ａの窓サッシ２２ｂは、上下に分割されており、上側の窓サッシ２２ｂと下側の窓サッシ２２ｂとを独立して開閉できるようになっている。したがって、居住者の任意で、上側の窓サッシ２２ｂだけを開放させたり、下側の窓サッシ２２ｂだけを開放させたり、または両方の窓サッシ２２ｂを開放させたりすることができる。
【００２３】
ここで、図３に示すように、本実施の形態の建物１は２階建てのものであり、前記特定階１ａは、この建物１の上階である。また、この建物１の上階１ａおよび下階１ｂにはそれぞれ部屋が設けられており、前記上階１ａには、図１に示すように、リビング２ａ、ダイニング２ｂおよびキッチン２ｃ等を含む共用居住空間である前記部屋２が設けられている。また、前記上階１ａには、前記部屋２の他に、前記収納空間３、階段室５、他の部屋６が設けられている。
【００２４】
前記ダイニング２ｂおよびキッチン２ｃは、図１に示すように、前記バルコニー４に面する前記部屋２の一方の外壁２１と、この一方の外壁２１と対向する前記部屋２の他方の外壁２２との間に配置されている。すなわち、上述のように、前記開口部２２ａから前記出入口２１ａへと抜ける空気が、これらダイニング２ｂおよびキッチン２ｃを確実に通過して、これらダイニング２ｂおよびキッチン２ｃの換気を促進している。
特に、暖かい空気は上昇する性質を備えていることから、火を使った料理の後にキッチン２ｃの上方の天井２３付近に溜まった暖かい空気を、前記出入口２１ａを通じて屋外へと効率良く排気することができる。
【００２５】
また、前記リビング２ａは、前記キッチン２ｃの東側に隣接するとともに、前記他方の外壁２２と平行して前記部屋２の南側に立設される他の壁２７に面するようにして配置されている。また、このリビング２ａを挟んで前記他の壁２７と対向する位置に、前記階段室５が配置されている。
なお、前記他の壁２７には開口部２７ａが形成されており、上階１ａには、この開口部２７ａを介して前記部屋２と行き来できるインナーバルコニー２６が配置されており、このインナーバルコニー２６から取り込んだ空気を前記一方の外壁２１の出入口２１ａや階段室５に向かって通過させることができる。
【００２６】
また、前記部屋２には、図１および図２に示すように、前記バルコニー４との間を行き来するための昇降手段２４が設けられている。
この昇降手段２４は、前記中間床３０と略等しい高さに位置するとともに該中間床３０と連続し、さらに前記出入口２１ａに面して設けられる階上床部２４ａと、この階上床部２４ａと前記部屋２の床２０との間に設けられる階段２４ｂとを備えている。
【００２７】
また、前記階上床部２４ａの下方は、天井高が０．９ｍ〜１．４ｍの補助収納空間２４ｃとなっている。本実施の形態の補助収納空間２４ｃは、図１に示すように、前記収納空間３とは連通しておらず、前記キッチン２ｃと連通している。
また、前記階上床部２４ａには、図２に示すように、この階上床部２４ａの前記階段２４ｂ側とは反対側の端部付近に物入れ２４ｄが配置されており、前記補助収納空間２４ｃとともに空間の有効利用を図っている。
【００２８】
さらに、図１〜図３に示すように、前記階段２４ｂの部屋２側の側面に沿って、かつ前記昇降手段２４と部屋２とを仕切るようにして壁２８が立設されている。この壁２８は、前記一方の外壁２１に対向している。また、この壁２８は、前記床２０から天井２３に達する高さに設定されており、この壁２８によって前記補助収納空間２４ｃと部屋２とを仕切っている。
この壁２８には、前記一方の外壁２１の出入口２１ａと対向する位置に開口部２８ａが形成されている。また、この開口部２８ａの下方に、前記補助収納空間２４ｃ内の物品を取り出せる取出口２８ｂが形成されている。
【００２９】
さらに、前記階上床部２４ａの部屋２側の縁部には、前記出入口２１ａと対向する所定高さの手摺壁２５が立設されており、この手摺壁２５の上端部は、前記出入口２１ａの上端部よりも低い高さに位置している。
なお、この手摺壁２５は、前記壁２８の開口部２８ａの下部に設けられており、前記壁２８とともに、前記部屋２と階上床部２４ａとを仕切ることができる。
【００３０】
また、本実施の形態の手摺壁２５の高さは、図３に示すように、この手摺壁２５の上端部と前記部屋２の天井２３との間に隙間をあけることができる程度の高さに設定されている。
これによって、この手摺壁２５の上端部と前記部屋２の天井２３との間の隙間を通じて、空気を流通させることができる。
【００３１】
そして、前記手摺壁２５の上端部は、上述のように前記出入口２１ａの上端部よりも低い高さに位置しているので、前記手摺壁２５の上端部と前記部屋２の天井２３との間の隙間を通じて流通する空気は、前記出入口２１ａの上部を通じて、前記部屋２と屋外との間を流通することとなる。
すなわち、前記開口部２２ａから部屋２内に取り込んだ空気は、前記出入口２１ａの下部ではなく上部に向かって進むことになるので、この空気は、より確実に前記部屋２の天井２３付近を通過することになる。
【００３２】
前記収納空間３は、図１〜図３に示すように、前記上階１ａの床２０と前記中間床３０との間とされており、前記部屋２から延びる廊下２ｄに面して収納物品の取出口３ａが設けられている。
また、この収納空間３は、前記廊下２ｄを介して前記他の部屋６と隣接しており、この収納空間３の取出口３ａの正面に、前記他の部屋６の出入口６ａが設けられている。
【００３３】
なお、この収納空間３の天井高は、上述のように、０．９ｍ〜１．４ｍに設定されている。ここで、天井高を０．９ｍ〜１．４ｍとするのは、人が前記収納空間３に入って、何とか作業ができる最低限の高さを確保するための高さ範囲であり、かつ、このように天井高を必要最小限に抑えることで、建物１の高さが高くなることによって隣接する建物に及ぼす日照減少等の影響を極力少なくすることができる高さ範囲である。
【００３４】
前記バルコニー４は、図１〜図３に示すように、前記部屋２に隣接するとともに、前記部屋２から延びる廊下２ｄに隣接する位置に、前記一方の外壁２１を含む躯体の壁を介して配置されている。
そして、この躯体の壁が立設された部分を除く該バルコニー４の周縁部に所定高さの手摺壁４０が立設されている
【００３５】
また、このバルコニー４の上部には、図２に示すように、建物１の上部に設けられる屋根１ｃがない状態となっている。すなわち、露天の状態となっている。
なお、本実施の形態の屋根１ｃは、図２中の二点鎖線で示す部分である。
このように前記バルコニー４は、このバルコニー４の周縁部に所定高さの手摺壁４０が立設されるとともに、上部に屋根がない状態となっているので、前記躯体表面に沿って流れる風は、前記バルコニー４の表面にも沿って流れることになる。また、このようにバルコニー４の表面に沿って流れる風は、建物１自体から遠ざかる方向に流れていくので、前記出入口２１ａから屋外へと排気される空気を、建物自１体から遠ざかる方向へと導くことが可能となる。
【００３６】
前記階段室５は、図１に示すように、平面視において矩形状に形成されており、下階１ｂの床から屋根１ｃにわたって設けられることによって上階１ａと下階１ｂとを連通している。その内部には下階１ｂの床から上階１ａの床２０に至る折り返し階段が設けられている。
また、この階段室５の上部には、前記屋根１ｃに開閉可能に設けられた天窓５ａと、この天窓５ａの下方に設けられたシーリングファン５ｂとを備えた空調設備が設けられている。このシーリングファン５ｂは、ファンの正回転および逆回転が可能となっており、適宜操作可能である。
【００３７】
この空調設備によって、前記部屋２内の換気だけでなく、建物１全体の換気を機械的に行うことが可能となっている。
すなわち、前記他方の外壁２２の開口部２２ａを開放した状態で、前記天窓５ａを開放するとともに、前記シーリングファン５ｂを回転させることによって、前記開口部２２ａから取り込んだ外気が、前記部屋２の内部を通り抜けて階段室５まで達することとなり、前記開口部２２ａと階段室５との間で空気を流通させることができる。さらに、前記天窓５ａを開放するとともにシーリングファン５ｂを回転させることによって、下階１ｂからの空気も前記天窓５ａから排気することができる。
これによって、例えば屋外が無風状態であっても、前記開口部２２ａを開放し、空調設備の天窓５ａを開放するとともにシーリングファン５ｂを回転させれば、前記部屋２内の換気を行うことができるとともに、下階１ｂから上階１ａにわたる建物１全体の換気を行うことができる。
【００３８】
また、前記空調設備は、温度センサー（図示せず）を備えており、この温度センサーによって検出した温度に基づいて、前記天窓５ａの開閉およびシーリングファン５ｂの正逆回転を始め、エアコン等の動作を自動制御するようにしてもよい。これによって、建物１内の換気を行いながら、空気調節を行うことができるので、好ましい。
一方、本実施の形態の建物１においては、このように空調設備による機械換気を行わずとも、前記出入口２１ａおよび開口部２２ａを開放するだけで、前記部屋２を自然換気できるようになっている。
したがって、建物１に備えられた自然換気機能と、機械換気機能とを併用してもよいものとする。これによって、前記建物１内に、年間を通じて快適な居住空間を形成することが可能となる。
【００３９】
本実施の形態によれば、前記中間床３０の上方が、前記部屋２に隣接するバルコニー４となっているので、このバルコニー４へと通じる前記出入口２１ａは、前記特定階１ａの床２０よりも一段高い高さに位置していることとなる。
このような出入口２１ａが形成された一方の外壁２１と対向する前記部屋２の他方の外壁２２に窓等の開口部２２ａが形成されているので、この開口部２２ａから取り込んだ空気は、一段高い高さに位置する前記出入口２１ａに向かって進むことになり、その際に、前記部屋２の天井２３付近を通過するようにして屋外へと抜けることになる。
そして、暖かい空気は上昇する性質を備えていることから、前記部屋２内の暖かい空気は上昇し、前記部屋２の天井２３付近に溜まることになるので、前記開口部２２ａから取り込んだ空気が前記天井２３付近を通過することによって、前記天井２３付近に溜まった暖かい空気を、前記出入口２１ａを通じて屋外へと効率良く排気することができる。これによって、自然換気を効率良く行うことが可能となる。
【００４０】
なお、本実施の形態において、前記開口部２２ａから取り込んだ空気は、一段高い高さに位置する前記出入口２１ａに向かって進むことになり、その際に、前記部屋２の天井２３付近を通過するようにして屋外へと抜けることになるとしたが、これに限るものではない。
すなわち、前記出入口２１ａから取り込んだ空気を、前記部屋２の天井２３付近を通過させて、前記開口部２２ａから屋外へと抜くことも可能となっている。上述のように、前記開口部２２ａの上端部は、前記部屋２の天井２３付近の高さに位置しているので、前記出入口２１ａから取り込んだ空気によって、天井２３付近に溜まった暖かい空気を効率良く排気することも可能である。
【図面の簡単な説明】
【００４１】
【図１】本発明の建物の上階を示す平断面図である。
【図２】本発明の建物の上階の床よりも一段高い中間階を示すとともに、この中間階に設けられるバルコニーを示す平断面図である。
【図３】本発明の建物を示す側断面図である。
【符号の説明】
【００４２】
１  建物
２  部屋
２０  床
２１  一方の外壁
２１ａ  出入口
２２  他方の外壁
２２ａ  開口部
３  収納空間
３０  中間床
４  バルコニー
【図１】
2010116671.tif 000003
【図２】
2010116671.tif 000004
【図３】
2010116671.tif 000005